(57)【要約】【課題】異物を外部から視認可能な状態で吸着することが可能な硬貨処理装置を提供する。【解決手段】硬貨を受領する硬貨受領部と、前記硬貨受領部の底面に設けられ、前記硬貨が落下する落下口と、前記硬貨受領部の下方に設けられ、前記硬貨受領部から前記落下口を介して落下した前記硬貨を上面で受けとめ、回転することにより、前記硬貨を搬送する回転部材と、前記落下口の下方であって、且つ、前記回転部材の下方に設けられた複数の磁石と、を備える硬貨処理装置を提供する。【選択図】図３
2017120461.tif 000002
【特許請求の範囲】
【請求項１】
硬貨を受領する硬貨受領部と、
前記硬貨受領部の底面に設けられ、前記硬貨が落下する落下口と、
前記硬貨受領部の下方に設けられ、前記硬貨受領部から前記落下口を介して落下した前記硬貨を上面で受けとめ、回転することにより、前記硬貨を搬送する回転部材と、
前記落下口の下方であって、且つ、前記回転部材の下方に設けられた複数の磁石と、
を備える硬貨処理装置。
【請求項２】
前記硬貨受領部の前記底面は、すり鉢形状を持ち、
前記落下口は、前記底面の中央部に設けられる、
請求項１に記載の硬貨処理装置。
【請求項３】
前記磁石は磁気ベアリングから形成される、請求項１又は２に記載の硬貨処理装置。
【請求項４】
硬貨を受領する硬貨受領部と、
前記硬貨受領部の底面の中央部に設けられ、前記硬貨が落下する落下口と、
前記硬貨受領部の下方に設けられ、前記硬貨受領部から前記落下口を介して落下した前記硬貨を上面で受けとめ、当該上面を回転させることにより、前記硬貨を搬送する回転部材と、
前記落下口を貫通し、前記回転部材と嵌合する回転軸と、
を備え、
前記回転軸の少なくとも一部分は磁化している、
硬貨処理装置。
【請求項５】
前記回転軸は、強磁性体材料から形成され、
前記回転軸の上部に、磁石が設けられている、
請求項４に記載の硬貨処理装置。
【請求項６】
前記回転軸は、磁石から形成される、請求項４に記載の硬貨処理装置。
【請求項７】
前記回転軸の上部には、突起部が設けられており、
前記突起部には磁石が設けられている、請求項４に記載の硬貨処理装置。
【発明の詳細な説明】
【技術分野】
【０００１】
本発明は、硬貨処理装置に関する。
【背景技術】
【０００２】
店舗等においては、店舗等に設置されたレジスターの硬貨を管理する硬貨処理装置が利用されている。硬貨処理装置は、硬貨を受け入れた後、硬貨認識を行って硬貨の金種を判別し、計数する。そして、硬貨処理装置は、判別結果に応じて硬貨を選別し、所望の排出口から排出する。硬貨処理装置の一例としては、下記特許文献１に開示された硬貨処理装置を挙げることができる。
【０００３】
上述のような硬貨処理装置には、硬貨とともに、クリップ、虫ピン、ホチキスの針等の異物が誤って投入されることがある。このような異物は、硬貨処理装置内の搬送部等に搬送されてしまうと取り出すことが困難であり、硬貨処理装置の故障の原因ともなる。そこで、このような異物の混入を防止するために、例えば、下記特許文献２〜４のような硬貨処理装置が提案されている。
【０００４】
具体的には、下記特許文献２〜３においては、硬貨を硬貨処理装置の内部へ搬送する回転部材の外周の一部に、異物を吸着する磁石を設けることが開示されている。また、特許文献４には、上記回転部材に磁石を設けることが開示されている。そして、これらの特許文献２〜４においては、磁石によって、異物を吸着することにより、異物を除去している。
【先行技術文献】
【特許文献】
【０００５】
【特許文献１】特開２０１３−１２５４３９号公報
【特許文献２】特開平７−１２１７４８号公報
【特許文献３】特開２０１５−１２１８５６号公報
【特許文献４】特開平１１−６６３７３号公報
【発明の概要】
【発明が解決しようとする課題】
【０００６】
しかしながら、上記特許文献２〜４のような従来の硬貨処理装置においては、異物を吸着する磁石は硬貨処理装置の外部から視認することができないような位置にあるため、磁石によって吸着された異物は、硬貨処理装置の外部から視認することができない。例えば、磁性体（詳細には、強磁性体）である旧５０円硬貨が上記磁石に吸着され、そのことが原因となって、硬貨処理装置における計数結果に違算（操作者が硬貨処理装置に投入した硬貨の総額と硬貨処理装置によって計数された硬貨の総額が異なること）が生じることがある。このような場合、磁石に吸着された旧５０円硬貨は、硬貨処理装置の外部から視認することができないため、硬貨処理装置の操作者は、旧５０円硬貨が磁石によって吸着されていることを認識することができず、違算を是正することができないことがある。また、磁石によって吸着された異物が硬貨処理装置の外部から視認することができないため、操作者は磁石による異物の吸着に気がつくことなく、吸着された異物をそのまま放置する場合がある。このように吸着された異物をそのままの状態で長く放置していた場合、当該硬貨処理装置において硬貨処理を繰り返し行う中で、新たに投入された硬貨によって、吸着された異物が硬貨処理装置内の搬送部等へ押し出され、押し出された異物が硬貨処理装置を故障させることもある。
【０００７】
上述のような問題を解消するために、磁石に異物が吸着されたことを検知するセンサを硬貨処理装置内に設けることも考えられるが、異物が非常に小さい場合には、センサにより吸着された異物を検知することは難しい。
【０００８】
そこで、本発明は、上記問題に鑑みてなされたものであり、本発明の目的とするところは、異物を外部から視認可能な状態で吸着することが可能な、新規かつ改良された硬貨処理装置を提供することにある。
【課題を解決するための手段】
【０００９】
上記課題を解決するために、本発明のある観点によれば、硬貨を受領する硬貨受領部と、前記硬貨受領部の底面に設けられ、前記硬貨が落下する落下口と、前記硬貨受領部の下方に設けられ、前記硬貨受領部から前記落下口を介して落下した前記硬貨を上面で受けとめ、回転することにより、前記硬貨を搬送する回転部材と、前記落下口の下方であって、且つ、前記回転部材の下方に設けられた複数の磁石と、を備える硬貨処理装置が提供される。
【００１０】
前記硬貨受領部の前記底面は、すり鉢形状を持ち、前記落下口は、前記底面の中央部に設けられてもよい。
【００１１】
前記磁石は磁気ベアリングから形成されてもよい。
【００１２】
上記課題を解決するために、本発明の別の観点によれば、硬貨を受領する硬貨受領部と、前記硬貨受領部の底面の中央部に設けられ、前記硬貨が落下する落下口と、前記硬貨受領部の下方に設けられ、前記硬貨受領部から前記落下口を介して落下した前記硬貨を上面で受けとめ、当該上面を回転させることにより、前記硬貨を搬送する回転部材と、前記落下口を貫通し、前記回転部材と嵌合する回転軸と、を備え、前記回転軸の少なくとも一部分は磁化している、硬貨処理装置が提供される。
【００１３】
前記回転軸は、強磁性体材料から形成され、前記回転軸の上部に、磁石が設けられていてもよい。
【００１４】
前記回転軸は、磁石から形成されてもよい。
【００１５】
前記回転軸の上部には、突起部が設けられており、前記突起部には磁石が設けられていてもよい。
【発明の効果】
【００１６】
以上説明したように本発明によれば、異物を外部から視認可能な状態で吸着することができる。
【図面の簡単な説明】
【００１７】
【図１】本発明の第１の実施形態に係る硬貨処理装置１を正面から見た概略断面図である。
【図２】第１の実施形態に係る硬貨処理装置１を側面から見た概略断面図である。
【図３】第１の実施形態に係る硬貨受領部１０及び硬貨繰出部１２を示す概略断面図である。
【図４】第１の実施形態に係る硬貨繰出部１２を示す概略断面図である。
【図５】第２の実施形態に係る硬貨受領部１０及び硬貨繰出部５２を示す概略断面図である。
【図６】第３の実施形態に係る硬貨受領部１０及び硬貨繰出部６２を示す概略断面図である。
【図７】第３の実施形態に係る硬貨繰出部６２を示す概略平面図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて金種別排出口２０２ａ及び金種別排出口２０２ｂのように区別する。ただし、実質的に同一の機能構成を有する複数の構成要素の各々を特に区別する必要がない場合、同一符号のみを付する。例えば、金種別排出口２０２ａ及び金種別排出口２０２ｂを特に区別する必要が無い場合には、単に金種別排出口２０２と称する。
【００２０】
１．  第１の実施形態
１．１  硬貨処理装置１の構成
図１及び図２を参照しながら、本発明の一実施形態に係る硬貨処理装置１の構成の一例について説明する。図１及び図２は、本実施形態に係る硬貨処理装置１の内部構成の一例を示す概略図である。詳細には、図１は、硬貨処理装置１を正面から見た概略正面図であり、図２は、図１に示す硬貨処理装置１を右側面側から見た概略断面図である。
【００２１】
硬貨処理装置１は、店舗等に設置され、レジスターで取り扱われる硬貨Ｃを管理する装置である。硬貨処理装置１は、硬貨Ｃを一括して受け入れた後、受け入れた各硬貨Ｃの金種を判別する。その後、硬貨処理装置１は、その判別結果に応じて金種毎に硬貨Ｃを選別し、選別した硬貨Ｃを収容した後に出金する。
【００２２】
図１に示すように、硬貨処理装置１は、硬貨受領部１０と、硬貨繰出部１２と、硬貨認識部１４と、選別搬送部２０と、リジェクト硬貨収容部２６と、一時保留部３０と、返却箱３４と、ホッパ３６と、搬送切替部３８と、出金箱４０と、回収箱４４と、制御ユニット９０とを主に有する。
【００２３】
（硬貨受領部１０）
硬貨受領部１０は、投入される硬貨Ｃを受ける部分である。硬貨受領部１０は、例えば、図１及び図２に示すように、硬貨処理装置１の上方、かつ正面側に位置する。硬貨受領部１０は、硬貨Ｃが投入される投入口１００を有し、投入口１００は、硬貨Ｃを一括して投入し易いように、上方に向かって広く開口している。硬貨受領部１０に投入された硬貨Ｃは、硬貨受領部１０の下方に位置する硬貨繰出部１２に落下する。
【００２４】
（硬貨繰出部１２）
硬貨繰出部１２は、図１に示すように、硬貨受領部１０の下方に位置し、硬貨受領部１０から落下した硬貨Ｃを、後述する硬貨認識部１４へ１枚ずつ繰り出す。詳細には、硬貨繰出部１２内には、例えば回転円盤（回転部材）（図示省略）が設けられている。硬貨繰出部１２へ落下した硬貨Ｃは、回転円盤によって受け止められ、回転円盤が回転する際の遠心力により、回転円盤の外周へ移動し、１枚ずつ硬貨認識部１４へ繰り出される。
【００２５】
（硬貨認識部１４）
硬貨認識部１４は、図１に示すように、硬貨繰出部１２と接続されており、硬貨繰出部１２から繰り出された硬貨Ｃの真偽、金種等の判別を行う。硬貨認識部１４は、例えば、硬貨Ｃを認識するセンサ（図示省略）を有し、センサで検出した硬貨Ｃの特徴に基づいて、硬貨Ｃの真偽、金種等を判別する。さらに、硬貨認識部１４は、判別した硬貨Ｃを後述する選別搬送路２０に搬送する。
【００２６】
（選別搬送部２０）
選別搬送部２０は、図１に示すように、硬貨認識部１４と接続されており、硬貨認識部１４による判別結果に基づいて、硬貨Ｃを選別して搬送する。選別搬送部２０は、図２に示すように、硬貨Ｃの搬送方向の上流から下流（図２においては左から右に向かう方向）に向かって、リジェクト口２００と、金種別排出口２０２ａ〜２０２ｆとを有する。具体的には、硬貨認識部１４において真貨で無いと判別された硬貨Ｃは、リジェクト口２００を通過して、リジェクト硬貨収容部２６へ落下する。真貨であると判別された硬貨Ｃは、金種別排出口２０２ａ〜２０２ｆを通過して、一時保留部３０へ落下する。なお、リジェクト口２００の下方には、リジェクト口２００を通過した硬貨Ｃをリジェクト硬貨収容部２６へ導くリジェクトシュートが配置（図１及び図２に示す破線矢印Ｒのルートに配置）されている。さらに、金種別排出口２０２ａ〜２０２ｆの下方には、金種別排出口２０２ａ〜２０２ｆから排出された硬貨Ｃを一時保留部３０へ導くシュート２０４ａ〜２０４ｆが配置（図１及び図２に示す実船矢印Ｑのルートに配置）されている。また、本実施形態においては、リジェクト口２００は１個に限定されるものではなく、複数個設けられていてもよい。
【００２７】
（リジェクト硬貨収容部２６）
リジェクト硬貨収容部２６は、先に説明したように、リジェクト口２００を通過した硬貨Ｃを収容する。リジェクト硬貨収容部２６は、硬貨処理装置１の正面に開閉可能な扉（図示省略）を有する。
【００２８】
（一時保留部３０）
一時保留部３０は、金種別排出口２０２ａ〜２０２ｆから排出された硬貨Ｃを、金種別に一時的に収容する。詳細には、一時保留部３０は、周囲の４面を囲むフレーム内を金種別に区切ることで形成した、直線状に並んだ金種別の収容部の一例である保留部３００ａ〜３００ｆを含み、各保留部３００ａ〜３００ｆは、対応するシュート２０４ａ〜２０４ｆによって導かれた硬貨Ｃを収容する。より具体的には、例えば、シュート２０４ａは、金種別排出口２０２ａから排出された硬貨Ｃを、シュート２０４ａの下方に設けられた一時保留部３０内の保留部３００ａへ導く。また、一時保留部３０は、一時保留部移動モータ（図示省略）によって、一時保留部３０の下にあるガイド３２に沿って、図１に示す実線矢印Ｈ及び実線矢印Ｓで示す方向に移動可能である。
【００２９】
（返却箱３４）
返却箱３４は、図１に示すように、一時保留部３０が実線矢印Ｈ方向に移動した場合に、一時保留部３０の下方に位置するように設けられており、一時保留部３０が実線矢印Ｈ方向に移動した際に、一時保留部３０から落下する硬貨Ｃを収容する。返却箱３４は、硬貨処理装置１の操作者によって硬貨処理装置１の正面から硬貨処理装置１外へ引き出し可能になっている。
【００３０】
（ホッパ３６）
ホッパ３６は、図１に示すように、一時保留部３０が実線矢印Ｓ方向に移動した場合に、一時保留部３０の下方に位置するように設けられており、一時保留部３０が実線矢印Ｓ方向に移動した際に一時保留部３０から落下する硬貨Ｃを金種別に収容する。ホッパ３６は、図２に示すように、金種別の保留部３００ａ〜３００ｆに対応するように直線状に並べられた複数の金種別ホッパ３６０ａ〜３６０ｆで構成されている。すなわち、金種別ホッパ３６０ａは、一時保留部３０の保留部３００ａから図２の矢印Ｐ方向に落下した硬貨Ｃを収容する。また、各金種別ホッパ３６０ａ〜３６０ｆには、硬貨Ｃを１枚ずつ繰り出す搬送切替部３８が設けられている。
【００３１】
（搬送切替部３８）
搬送切替部３８は、先に説明したように、各金種別ホッパ３６０ａ〜３６０ｆに対して設けられ、各金種別ホッパ３６０ａ〜３６０ｆから繰り出された硬貨Ｃの搬送先を切り替える。例えば、搬送切替部３８は、第１位置と第２位置との間で回動する切替ブレード（図示省略）を有する。切替ブレードが第１位置に位置する際には、硬貨Ｃの搬送ルートは図１の矢印Ｔで示すルートになり、この場合、硬貨Ｃの搬送先は後述する出金箱４０となる。一方、切替ブレードが第２位置に位置する際には、硬貨Ｃの搬送ルートは図１の矢印Ｕで示すルートになり、この場合、硬貨Ｃの搬送先は後述する回収箱４４となる。
【００３２】
（出金箱４０）
出金箱４０は出金される硬貨Ｃを収容する。出金箱４０には、先に説明したように、搬送切替部３８により矢印Ｔ（図１参照）のルートで搬送された硬貨Ｃが収容される。出金箱４０は、硬貨処理装置１に対して着脱可能に設けられ、硬貨処理装置１の操作者によって硬貨処理装置１の正面から硬貨処理装置１外へ引き出すことができる。出金箱４０には、図２に示すように、金種ごとに硬貨Ｃを取り出すことができる金種別の出金小箱４００ａ〜４００ｆが直線状に並べて収容されている。この出金小箱４００ａ〜４００ｆは、金種別ホッパ３６０ａ〜３６０ｆに対応するように設けられている。すなわち、例えば、出金小箱４００ａは、ホッパ３６の金種別ホッパ３６０ａから図１及び図２の矢印Ｔ方向へ搬送される硬貨Ｃを収容する。
【００３３】
（回収箱４４）
回収箱４４は回収される硬貨Ｃを収容する。詳細には、回収箱４４には、先に説明したように、搬送切替部３８により矢印Ｕ（図１参照）のルートで搬送された硬貨Ｃが収容される。回収箱４４は、硬貨処理装置１に対して着脱可能に設けられ、硬貨処理装置１の操作者によって硬貨処理装置１の正面から硬貨処理装置１外へ引き出すことができる。
【００３４】
（制御ユニット９０）
制御ユニット９０は、硬貨処理装置１の全体動作を制御する。詳細には、制御ユニット９０は、図１に示すように、硬貨処理装置１内に設けられ、上述した各構成要素の動作を制御する制御部（図示省略）と、制御部が実行するプログラムや各種のデータを記憶する記憶部（図示省略）とを有する。なお、当該制御部は、硬貨認識部１４の判別結果に基づき、硬貨処理装置１で受け入れた硬貨Ｃの総額を計数することもできる。
【００３５】
さらに、硬貨処理装置１は、図示しない操作表示部が設けられており、操作表示部は、硬貨処理装置１の操作者に対して、硬貨処理装置１における処理内容、処理状況を示す表示を行ったり、操作者から操作を受け付けたりしてもよい。
【００３６】
１．２  硬貨受領部１０及び硬貨繰出部１２の詳細構成
図３及び図４を参照しながら、本実施形態に係る硬貨処理装置１の硬貨受領部１０及び硬貨繰出部１２の詳細構成について、説明する。図３は、本実施形態に係る硬貨受領部１０及び硬貨繰出部１２を示す概略断面図であって、後述する回転軸１２４を通過するように、回転軸１２４に沿って硬貨受領部１０及び硬貨繰出部１２を切断した場合の概略断面図である。また、図４は、図３中のＡ−Ａ´線で切断した場合の硬貨繰出部１２を示す概略断面図である。
【００３７】
＜硬貨受領部１０＞
硬貨受領部１０は、先に説明したように、硬貨処理装置１の操作者によって投入される硬貨Ｃを受ける部分である。硬貨受領部１０は、図３に示すように、硬貨Ｃが投入される投入口１００と、硬貨Ｃを硬貨受領部１０の直下に位置する硬貨繰出部１２へ落下させる落下口１０２とを有する。投入口１００は、硬貨受領部１０の上部に設けられた開口部であり、大量の硬貨Ｃを一括して投入し易いように、広く開口している。落下口１０２は、硬貨受領部１０のすり鉢形状の底面の中央部に設けられた、すなわち、投入口１００の鉛直方向に下方に位置する開口部であって、投入口１００で受け入れた硬貨Ｃを硬貨繰出部１２に向かって落下させるための開口部である。なお、落下口１０２は、図３に示されるように、硬貨受領部１０の底面の中央部から硬貨繰出部１２へ向かって延びる円筒状の形状の開口部であってもよく、もしくは、硬貨受領部１０の底面にあいた円形の開口部であってもよい。落下口１０２の開口（図３においては、円筒状の落下口１０２の中空部分の直径）は、一括して投入された硬貨Ｃがそのまま硬貨繰出部１２へ落下することを防止するために、投入口１００の開口よりも小さく形成されている。具体的には、落下口１０２の開口の直径は、例えば、後述する回転軸１２４（後述する硬貨繰出部１２の回転円盤（回転部材）１２２の中心と嵌合し、回転円盤１２２を回転させるための軸）の直径と硬貨処理装置１で取り扱う硬貨Ｃのうち最大径の硬貨の直径の２倍との和よりも大きく、且つ、投入口１００の開口よりも小さい。そして、投入口１００から投入された硬貨Ｃは、自重により硬貨受領部１０のすり鉢形状の底面に沿って、硬貨受領部１０の底面中央部の落下口１０２へ移動し、後述する硬貨繰出部１２の回転円盤１２２上に落下する。
【００３８】
さらに、図３に示すように、落下口１０２と連続するように、スカート１０４が設けられている。スカート１０４は、後述する硬貨繰出部１２の収容部１２０内に収容され、落下口１０２を落下した硬貨Ｃを、上記回転円盤１２２へ誘導する。詳細には、スカート１０４は、ゴム等から形成された円筒部材であり、落下口１０２と接続される上部開口部１０４ａと、上部開口部１０４ａの反対側に位置する下部開口部１０４ｂとを有する。さらに、上部開口部１０４ａは落下口１０２と同じ大きさに開口しており、下部開口部１０４ｂは上部開口部１０４ａよりも大きく開口している。したがって、下部開口部１０４ｂが大きく開口していることから、落下口１０２及び上部開口部１０４ａを通過して落下した硬貨Ｃは、スカート１０４に誘導され、上記回転円盤１２２上に広がって位置することが可能となり、落下する硬貨Ｃによって回転円盤１２２に係る負荷を、回転円盤１２２の面内において均一化することができる。
【００３９】
以上のように、投入口１００よりも小さく開口する落下口１０２と、落下口１０２に連続するように設けられたスカート１０４とにより、硬貨受領部１０の下方に設けられた硬貨繰出部１２の内部は、硬貨処理装置１の外部から視認することは難しく、一方、落下口１０２の直下に位置する硬貨繰出部１２の回転円盤１２２の中央部の回転軸１２４の周囲は、落下口１０２と回転軸１２４との間に空間が存在するため、落下口１０２を介して硬貨処理装置１の外部から視認することができる。この詳細については、後で説明する。
【００４０】
＜硬貨繰出部１２＞
硬貨繰出部１２は、先に説明したように、硬貨受領部１０の直下に位置し、硬貨受領部１０から落下した硬貨Ｃを一枚ずつ繰り出す。硬貨繰出部１２は、図３に示すように、収容部１２０と、回転円盤１２２と、回転軸１２４と、円盤駆動部１２６と、円盤保持部１２８と、磁石１３０とを主に有する。
【００４１】
（収容部１２０）
収容部１２０は、硬貨受領部１０の落下口１０２から落下した硬貨Ｃを収容する部材である。収容部１２０は、上方、すなわち、硬貨受領部１０から見ると円形状である。また、収容部１２０内（収容空間）には、図３に示されるように、回転円盤１２２が設けられており、収容部１２０の内周面は、回転円盤１２２の回転を可能にしつつ、回転円盤１２２と収容部１２０との間に硬貨Ｃが挟まらない程度の空間が維持される位置に、回転円盤１２２の外周に沿った形状で形成されている。さらに、収容部１２０は、硬貨Ｃを所定量（例えば１００枚）収容可能である。また、収容部１２０の内周面から外周面を貫通する、硬貨繰出部１２から硬貨認識部１４へ硬貨Ｃを通過させる（放出させる）ための通過口の一例である放出口１２０ａが設けられている。放出口１２０ａの幅及び高さは、硬貨Ｃが一枚ずつ通過できるような大きさを有している。
【００４２】
（回転円盤１２２）
回転円盤１２２は、収容部１２０内に設けられた円形状の部材であり、回転することにより硬貨Ｃを硬貨認識部１４へ導く。回転円盤１２２は、図３に示されるように、硬貨受領部１０の下方に位置しており、硬貨受領部１０の硬貨Ｃは、落下口１０２を介して回転円盤１２２上に落下し、回転円盤１２２の上面で受けとめられる。回転円盤１２２の中央は後述する回転軸１２４と嵌合し、回転円盤１２２は、回転軸１２４を介して後述する円盤駆動部１２６の回転駆動力を受けて、所定の回転方向に回転する。そして、回転円盤１２２の回転により生じる遠心力を受けて回転円盤１２２上の硬貨Ｃは、収容部１２０の側面側（回転円盤１２２の外周側）へ移動し、放出口１２０ａを通過することで、１枚ずつ硬貨認識部１４へ放出される。なお、上記回転軸１２４は、上述の硬貨受領部１０の落下口１０２を貫通している。詳細には、回転軸１２４と嵌合する回転円盤１２２の中央部は、落下口１０２の直下に位置しており、落下口１０２を介して硬貨処理装置１の外部から視認することができる。また、回転円盤１２２は、後述する磁石１３０の磁力に応じて、用いる材料や厚みを選択すればよく、この際、磁石１３０の磁気を遮蔽する材料を避けて選択することが好ましい。
【００４３】
（回転軸１２４）
回転軸１２４は、先に説明したように、回転円盤１２２の中心と嵌合しており、回転円盤１２２を回転させるための軸である。すなわち、回転軸１２４は、後述する円盤駆動部１２６から受けた回転駆動力を回転円盤１２２に伝達する。また、図３及び図４に示すように、回転軸１２４は円柱状の形状を有する。なお、図３及び図４においては、円柱状の回転軸１２４が示されているが、本実施形態においては、回転軸１２４は円柱状であることに限定されるものではなく、角柱状であってもよい。さらに、回転軸１２４は、図３に示されるように、上述の落下口１０２を貫通し、その上部が硬貨受領部１０側に突出しており、回転円盤１２２を回転させると同時に、硬貨受領部１０に収容された硬貨Ｃを撹拌する機能も有する。詳細には、硬貨受領部１０の落下口１０２の開口（直径）は、例えば、回転軸１２４の直径と硬貨処理装置１で取り扱う硬貨Ｃのうち最大径の硬貨の直径の２倍との和よりも大きいが、投入口１００の開口よりも小さいため、大量の硬貨Ｃが硬貨受領部１０に投入された場合には、硬貨は、下方へ落下することなく、硬貨受領部１０に停滞することがある。そこで、回転軸１２４が回転することによって、硬貨受領部１０に収容された硬貨Ｃを撹拌することにより、硬貨Ｃを硬貨受領部１０に停滞させることなく、硬貨Ｃを少量ずつ硬貨繰出部１２へ落下させることができる。
【００４４】
（円盤駆動部１２６）
円盤駆動部１２６は、回転円盤１２２を回転駆動させる駆動部である。円盤駆動部１２６は、図３に示されるように、円盤モータ１２６ａと、ギア列１２６ｂとを有する。円盤モータ１２６ａは、ギア列１２６ｂを介して回転駆動力を回転軸１２４に伝達し、回転軸１２４を回転させる。これにより、回転軸１２４と嵌合する回転円盤１２２も、回転軸１２４の回転方向と同一方向に回転する。
【００４５】
（円盤保持部１２８）
円盤保持部１２８は、図３に示されるように、回転円盤１２２の下方に設けられ、回転円盤１２２に接触して、回転中の回転円盤１２２を水平に支持する。円盤保持部１２８は、例えば、回転円盤１２２の下方に少なくとも３つ以上設けられる回転可能なローラであり、図４の例においては、円盤保持部１２８として、回転円盤１２２の下方にローラが４つ設けられている。詳細には、各ローラは、各ローラの回転中心となるローラ用回転軸（図示省略）が回転円盤１２２の面と平行となるように設けられ、さらに、回転円盤１２２の中心を取り囲むように回転円盤１２２の中心から互いに同じ距離であり、且つ、隣り合うローラの間も互いに同じ距離になるように設けられる。ローラは、回転円盤１２２の下面に接触して、回転円盤１２２を水平に支持するとともに、回転円盤１２２の回転時に、回転円盤１２２に作用する抵抗を抑制する。なお、円盤保持部１２８の設置位置は、後述する磁石１３０の設置位置を確保するために、回転円盤１２２の中心と各円盤保持部１２８との間に、回転軸１２４及び円盤保持部１２８と接することなく磁石１３０が設置できるような距離だけ、回転円盤１２２の中心から離れた位置であることが好ましい。また、本実施形態においては、図４に示されるように、円盤保持部１２８は４つに限定されるものではなく、回転軸１２４を取り囲むように、３つ以上設けられていればよい。
【００４６】
また、例えば、各円盤保持部１２８は、回転円盤１２２の下方に設けられた複数のベアリングであってもよい。各ベアリングは、上記ローラと同様に、回転円盤１２２の下面に接触して回転円盤１２２を水平に支持するとともに、回転円盤１２２の回転時に回転円盤１２２に作用する抵抗を抑制する。例えば、円盤保持部１２８として、４つのべアリングを用い、この場合、各ベアリングは、図３及び図４に示される上記ローラと同様に、各ベアリングの回転中心となるベアリング用回転軸（図示省略）が回転円盤１２２の面と平行となるように設けられ、さらに、回転円盤１２２の中心を取り囲むように回転円盤１２２の中心から互いに同じ距離であり、且つ、隣り合うベアリングの間も互いに同じ距離になるように設けられる。このように、ベアリングを用いることで、回転円盤１２２を水平に支持するとともに、回転円盤１２２の回転時に回転円盤１２２に作用する抵抗を効果的に、より抑制することができる。従って、回転円盤１２２は、水平に維持されつつ、効率よく、スムーズに回転することができる。
【００４７】
（磁石１３０）
磁石１３０は、回転円盤１２２の中央部の下方に複数個設けられる。例えば、磁石１３０は、永久磁石や電磁石等であって、図３及び図４に示すように、落下口１０２の下方で、且つ、回転円盤１２２の中央部の下方であって、上述の円盤保持部１２８よりも回転円盤１２２の中心側に、回転軸１２４を取り囲むように４つ設けられる。なお、磁石１３０は、落下口１０２を介して硬貨処理装置１の外部から視認できる回転円盤１２２の中央部の直下、すなわち、落下口１０２の直下に、回転軸１２４を取り囲むように設けられることが好ましい。また、各磁石１３０は、回転円盤１２２の中心を取り囲むように回転円盤１２２の中心から同じ距離であり、且つ、隣り合う磁石１３０の間もそれぞれ同じ距離になるように設けられる。磁石１３０は、その磁力により、回転円盤１２２上に落下した硬貨Ｃに混入した異物（例えば、クリップ、虫ピン、ホチキスの針等）を、回転円盤１２２の中央部の回転軸１２４の周囲に吸着する。従って、落下口１０２の下方に位置する硬貨繰出部１２の回転円盤１２２の中央部の回転軸１２４の周囲は、落下口１０２を介して硬貨処理装置１の外部から視認可能であることから、吸着された異物は、硬貨処理装置１の外部から視認可能である。なお、本実施形態においては、図４に示されるように４つの磁石１３０に限定されるものではなく、磁石１３０は、回転軸１２４を取り囲むように複数設けられていればよい。
【００４８】
なお、本実施形態においては、収容部１２０の内周面に、図４に示すように、複数のセンサ１３２を設けてもよく、当該センサ１３２により、吸着された異物を検知してもよい。
【００４９】
１．３  硬貨処理装置１の動作
次に、上述した構成を有する硬貨処理装置１の動作例について説明する。なお、硬貨処理装置１の動作は、例えば、制御ユニット９０によって制御される。より具体的には、制御ユニット９０により、硬貨繰出部１２の円盤駆動部１２６は制御され、制御された円盤駆動部１２６は、回転軸１２４を回転駆動させ、回転駆動された回転軸１２４は回転円盤１２２を回転させる。
【００５０】
まず、硬貨受領部１０に硬貨Ｃが一括して投入されると、投入された硬貨Ｃは、回転する回転軸１２４により撹拌されながら、自重により硬貨受領部１０のすり鉢形状の底面に沿って、底面中央部の落下口１０２へ移動し、後述する硬貨繰出部１２の回転円盤１２２上の中央部（落下口１０２を介して硬貨処理装置１の外部から視認できる回転円盤１２２の中央の領域）の回転軸１２４の周囲に落下する。この際、硬貨Ｃの中にクリップ等の異物が混入している場合には、異物は、回転円盤１２２の中央部の下方に位置する磁石１３０によって、回転円盤１２２の中央部の回転軸１２４の周囲に吸着される。さらに、回転円盤１２２が円盤駆動部１２６によって回転すると、磁石１３０に吸着されないまま回転円盤１２２上に落下した異物も、回転円盤１２２の回転によって移動し、磁石１３０によって、回転円盤１２２の中央部の回転軸１２４の周囲に吸着される。そして、回転円盤１２２がさらに回転すると、回転円盤１２２上の硬貨Ｃは、磁石１３０によって回転円盤１２２の中央部に吸着されることもないため、回転による遠心力を受けて収容部１２０の内周面に沿って移動し、異物と分離される。さらに、硬貨Ｃは、回転による遠心力を受けて放出口１２０ａを介して硬貨認識部１４へ１枚ずつ押し出される。
【００５１】
そして、回転円盤１２２の中央部の回転軸１２４の周囲に吸着された異物は、落下口１０２を介して硬貨処理装置１の外部から視認できる位置にあるため、操作者は、吸着された異物の存在を認識することができる。例えば、異物を認識した操作者は、上述の操作表示部に対して操作を行い、円盤駆動部１２６による回転円盤１２２に対する回転駆動を停止させ、回転円盤１２２の中央部の回転軸１２４の周囲に吸着された異物を除去する。なお、本実施形態においては、収容部１２０の内周面に設けられたセンサ１３２によって、回転円盤１２２の中央部の回転軸１２４の周囲に吸着された異物を検知し、センサ１３２による異物の検知に基づいて、円盤駆動部１２６による回転円盤１２２に対する回転駆動を停止させてもよい。
【００５２】
ところで、従来の硬貨処理装置においては、硬貨Ｃに混入した異物（例えば、クリップ、虫ピン、ホチキスの針等）を除去するために、硬貨Ｃを硬貨処理装置の内部へ搬送する回転部材の外周等に異物を吸着するための磁石を設けていた。しかしながら、このような位置に磁石を設けた場合には、磁石に吸着された異物は、硬貨処理装置の外部から視認することができない。例えば、先に説明したように、磁性体である旧５０円硬貨が上記磁石に吸着され、そのことが原因となって、硬貨処理装置における計数結果に違算が生じた場合には、吸着された旧５０円硬貨が硬貨処理装置の外部から視認することができないことから、硬貨処理装置の操作者が、旧５０円硬貨が磁石によって吸着されていることを認識することができず、当該操作者が違算を是正することができないことがある。
【００５３】
また、従来の硬貨処理装置においては、吸着された異物が硬貨処理装置の外部から視認できないため、操作者は磁石による異物の吸着を認識することなく、吸着された異物をそのまま放置することがある。このように吸着された異物をそのままの状態で長く放置していた場合には、先に説明したように、当該硬貨処理装置において硬貨処理を繰り返し行う中で、新たに投入され、且つ、回転による遠心力を受けた硬貨Ｃが吸着された異物に接触することがある。そして、接触した硬貨Ｃによって、吸着された異物は、硬貨処理装置内の硬貨認識部へ押し出され、硬貨処理装置を故障させることもある。
【００５４】
しかしながら、本実施形態においては、異物を吸着する磁石１３０を回転円盤１２２の中央部の下方に設けている。この磁石１３０によって、回転円盤１２２の中央部の回転軸１２４の周囲に異物を吸着することにより、当該異物は、落下口１０２を介して硬貨処理装置１の外部から視認できる位置に吸着されることとなるため、操作者は、吸着された異物を視認することができる。従って、本実施形態によれば、操作者は、吸着された異物の存在を容易に認識することができることから、迅速に吸着された異物を除去することができる。その結果、操作者が磁石１３０に吸着された異物を長時間放置することもなくなるため、新たに投入された硬貨Ｃによって異物が硬貨処理装置１内の硬貨認識部１４へ押し出されることもなくなり、異物による硬貨処理装置１の故障を避けることができる。さらに、異物がセンサによって検知できないような小さな異物であっても、吸着された異物が硬貨処理装置１の外部から視認できる位置にあるため、操作者は、吸着された小さな異物を視認することが可能である。
【００５５】
また、本実施形態によれば、磁石１３０によって吸着された異物が磁性体である旧５０円硬貨であった場合であっても、磁石１３０に吸着された旧５０円硬貨は硬貨処理装置１の外部から視認することができるため、操作者は旧５０円硬貨が磁石１３０によって吸着されていることを認識することができる。したがって、旧５０円硬貨が磁石１３０に吸着され、そのことが原因となって、硬貨処理装置１における計数結果に違算が生じても、操作者は、旧５０円硬貨が吸着されていることを認識しているため、違算の是正作業を迅速に行うことができる。
【００５６】
１．４  変形例
本実施形態においては、磁石１３０の代わりに磁気ベアリングを用いてもよい。以下に、本実施形態の変形例として、磁石１３０の代わりに磁気ベアリングを用いた場合を説明する。本変形例においては、第１の実施形態の磁石１３０が設置されていた位置に磁気ベアリングを設置する。磁気ベアリングは磁石を含む。詳細には、磁気ベアリングは、一般的に、磁気ベアリング用回転軸の外周に設けられた内側磁石と、磁気ベアリング用回転軸を取り囲み、且つ、当該磁気ベアリング用回転軸の外周との間に一定の間隙を有する円筒状の支持体と、当該支持体の内周面に、上記内側磁石と対向するように設けられたリング状の外側磁石とを有する。そして、内側磁石と外側磁石とは、互いに反発しあうように、同極どうしが対向するように設けられている。従って、磁気ベアリングにおいては、内側磁石と外側磁石との間の反発力により、磁気ベアリング用回転軸を、磁気ベアリングの中心に保持し、非接触状態で回転させることができる。
【００５７】
そこで、本変形例においては、例えば、４つの磁気ベアリングを用いる。詳細には、各磁気ベアリングを、図３及び図４の磁石１３０と同様に、落下口１０２の直下であって、且つ、回転円盤１２２の中央部（落下口１０２を介して硬貨処理装置１の外部から視認できる回転円盤１２２の中央の領域）の直下に、回転軸１２４を取り囲むように設ける。さらに、各磁気ベアリングは、円盤保持部１２８よりも回転円盤１２２の中心側に設けられる。また、各磁気ベアリングは、回転円盤１２２の中心を取り囲むように回転円盤１２２の中心から互いに同じ距離であり、且つ、隣り合う磁気ベアリングの間も互いに同じ距離になるように設けられる。並びに、各磁気ベアリングは、各磁気ベアリングの回転中心となる磁気ベアリング用回転軸（図示省略）が回転円盤１２２の面と平行となるように設けられる。
【００５８】
磁気ベアリングは、先に説明したように磁石を含んでいるため、磁気ベアリングの有する磁石の磁力により、磁気ベアリングは、回転円盤１２２上に落下した硬貨Ｃに混入した異物を、回転円盤１２２の中央部の回転軸１２４の周囲に吸着することができる。従って、落下口１０２の下方に位置する硬貨繰出部１２の回転円盤１２２の中央部の回転軸１２４の周囲は、落下口１０２を介して硬貨処理装置１の外部から視認することができることから、磁気ベアリングによって吸着された異物は、上述の実施形態と同様に、硬貨処理装置１の外部から視認可能である。さらに、磁気ベアリングを用いることにより、回転円盤１２２をより安定的に水平に支持するとともに、磁気ベアリング用回転軸が磁気ベアリング中において非接触状態で回転することから、回転円盤１２２の回転時に回転円盤１２２に作用する抵抗をより抑制することができる。したがって、本変形例によれば、回転円盤１２２は、磁気ベアリングによって、水平に維持されつつ、効率よく、スムーズに回転することができる。
【００５９】
２．  第２の実施形態
上述の第１の実施形態に係る硬貨処理装置１は、落下口１０２の下方であって、且つ、回転円盤１２２の中央部の下方に磁石１３０を設け、硬貨処理装置１の外部から視認できる位置に異物を吸着できるような構成とした。一方、以下に説明する第２の実施形態に係る硬貨処理装置１は、硬貨繰出部５２の中央に位置する回転軸１２４の少なくとも一部分を磁化させて、磁化した回転軸１２４によって異物を吸着することができるような構成を有する。本実施形態によれば、このようにすることで、硬貨処理装置１の外部から容易に視認できる回転軸１２４の表面に異物を吸着するため、硬貨処理装置１の操作者は、より容易に吸着された異物を認識することができる。
【００６０】
なお、第２の実施形態においては、硬貨処理装置１の構成については、第１の実施形態と共通であり、第１の実施形態の硬貨処理装置１の構成の説明及び説明図である図１及び図２を参照し得る。したがって、ここでは、本実施形態に係る硬貨処理装置１の構成についての説明を省略する。また、第２の実施形態における硬貨処理装置１の動作例についても、第１の実施形態と同様であるため、第１の実施形態の硬貨処理装置１の動作例の説明を参照し得る。したがって、ここでは、本実施形態に係る硬貨処理装置１の動作例についての説明も省略する。
【００６１】
２．１  硬貨繰出部５２の詳細構成
以下に、図５を参照して、第２の実施形態に係る硬貨処理装置１の硬貨繰出部５２の詳細構成を説明する。図５は、本実施形態に係る硬貨受領部１０及び硬貨繰出部５２を示す概略断面図であって、回転軸１２４を通過するように、回転軸１２４に沿って硬貨受領部１０及び硬貨繰出部５２を切断した場合の概略断面図である。
【００６２】
本実施形態に係る硬貨繰出部５２は、第１の実施形態の硬貨繰出部１２と同様に、硬貨受領部１０の下方に位置し、硬貨受領部１０から落下した硬貨Ｃを一枚ずつ硬貨認識部１４へ繰り出す。図５に示すように、硬貨繰出部５２は、第１の実施形態の硬貨繰出部１２と共通する各部位を有するとともに、回転円盤１２２の下方に位置する磁石１３０の代わりに、回転軸１２４に設けられた磁石２３０を有する。なお、ここでは、第２の実施形態の硬貨繰出部５２の各部位のうち、第１の実施形態の硬貨繰出部１２と共通する部位については、共通の符号を付して、その説明を省略し、共通しない部位についてのみ説明する。
【００６３】
（回転軸１２４）
本実施形態に係る回転軸１２４は、第１の実施形態に係る回転軸１２４と同様に、回転円盤１２２の中心と嵌合しており、回転円盤１２２を回転させるための軸である。回転軸１２４は、図５に示されるように、第１の実施形態と同様の構成を持っており、さらに、本実施形態においては、回転軸１２４は、後述する磁石２３０により回転軸１２４を磁化することが可能なように、強磁性体材料から形成することが好ましく、例えば、鉄、ニッケル等の金属材料から形成する。
【００６４】
（磁石２３０）
図５に示すように、回転軸１２４の上部（回転軸１２４の硬貨受領部１０に突出した部分）の上には、磁石２３０が設けられている。この磁石２３０は、第１の実施形態と同様に、永久磁石等であって、硬貨Ｃに混入した異物を吸着するとともに、回転軸１２４の少なくとも一部分を磁化させる。さらに、本実施形態においては、１個の磁石２３０を回転軸１２４の上部の上に設けることに限定されるものではなく、例えば、回転軸１２４の上部や下部（回転軸１２４の硬貨受領部１０に突出していない部分）に複数の磁石２３０を設けてもよく、また、回転軸１２４の内部に磁石２３０を設けてもよく、回転軸１２４の少なくとも一部分を磁化させることができれば、磁石２３０を設ける位置については特に限定されない。しかしながら、本実施形態においては、硬貨Ｃに混入した異物が硬貨処理装置１の外部からより容易に視認できる位置に吸着されることが好ましいことから、異物は回転軸１２４の上部側で吸着されることが好ましい。従って、本実施形態においては、回転軸１２４の上部がその下部よりも強い磁力を持つように、磁石２３０が設けられることが好ましい。
【００６５】
本実施形態においては、硬貨受領部１０に硬貨Ｃが一括して投入されると、投入された硬貨Ｃは、回転する回転軸１２４により撹拌されながら、落下口１０２へ移動し、回転円盤１２２上の中央部の回転軸１２４の周囲に落下する。この際、投入された硬貨Ｃに混入した異物は、磁石２３０に磁化され、且つ、硬貨Ｃを撹拌する回転軸１２４に吸着される。詳細には、回転軸１２４の上部は、硬貨受領部１０に突出しており、回転軸１２４の上部で異物が吸着された場合には、操作者によって、吸着された異物は容易に硬貨処理装置１の外部から視認することができる。また、異物が、回転軸１２４の上部の磁石２３０に触れることなく落下口１０２を落下し、回転軸１２４の上部の磁石２３０で吸着されない場合であっても、異物は、落下口１０２を落下する過程で磁化された回転軸１２４に吸着され、回転軸１２４に吸着された異物は、落下口１０２を介して硬貨処理装置１の外部から視認することができる。従って、本実施形態によれば、操作者は、吸着された異物の存在を容易に認識することができることから、吸着された異物を迅速に除去することができる。
【００６６】
２．２  変形例
本実施形態においては、回転軸１２４上に磁石２３０を設けて、回転軸１２４の少なくとも一部分を磁化させることに限定されるものではなく、回転軸１２４自身を磁石（例えば、永久磁石等）から形成してもよい。この場合、回転軸１２４のいずれの箇所でも、回転軸１２４は、硬貨Ｃに混入した異物を強力に吸着することができる。したがって、回転軸１２４に吸着された異物は、落下口１０２を介して硬貨処理装置１の外部から容易に視認することができる。
【００６７】
３．  第３の実施形態
第２の実施形態においては、回転軸１２４上に磁石２３０を設けて、回転軸１２４の少なくとも一部分を磁化させて、回転軸１２４上に異物を吸着する。一方、以下に説明する第３の実施形態においては、回転軸３２４の上部（回転軸３２４の硬貨受領部１０に突出した部分）に、硬貨受領部１０に収納された硬貨Ｃをより効果的に撹拌するための突起部３２６を設け、当該突起部３２６に磁石３３０を設ける。本実施形態によれば、突起部３２６により硬貨受領部１０に収納された硬貨Ｃを撹拌することにより、硬貨Ｃが硬貨受領部１０に停滞することを避けつつ、撹拌の際に、突起部３２６に設けられた磁石３３０により、硬貨Ｃに混入した異物を吸着することができる。
【００６８】
なお、第３の実施形態においては、硬貨処理装置１の構成については、第１の実施形態と共通であり、第１の実施形態の硬貨処理装置１の構成の説明及び説明図である図１及び図２を参照し得る。したがって、ここでは、本実施形態に係る硬貨処理装置１の構成についての説明を省略する。また、第３の実施形態における硬貨処理装置１の動作例についても、第１の実施形態と同様であるため、第１の実施形態の硬貨処理装置１の動作例の説明を参照し得る。したがって、ここでは、本実施形態に係る硬貨処理装置１の動作例についての説明も省略する。
【００６９】
３．１  硬貨繰出部６２の詳細構成
以下に、図６及び図７を参照して、第３の実施形態にかかる硬貨繰出部６２の詳細構成を説明する。図６は、本実施形態に係る硬貨受領部１０及び硬貨繰出部６２を示す概略断面図であって、後述する回転軸３２４の中心を通過するように、回転軸３２４に沿って硬貨受領部１０及び硬貨繰出部６２を切断した場合の概略断面図である。図７は、本実施形態に係る硬貨繰出部６２を示す概略平面図であって、硬貨繰出部６２を上方（硬貨受領部１０側）から見た概略平面図である。
【００７０】
本実施形態においても、硬貨繰出部６２は、第１の実施形態の硬貨繰出部１２と同様に、硬貨受領部１０の下方に位置し、硬貨受領部１０から落下した硬貨Ｃを一枚ずつ硬貨認識部１４へ繰り出す。本実施形態に係る硬貨繰出部６２は、第１の実施形態の硬貨繰出部１２と共通する各部位を有するとともに、突起部３２６を有する回転軸３２４と、突起部３２６に設けられた磁石３３０とを有する。また、ここでは、第３の実施形態の硬貨繰出部６２の各部位のうち、第１の実施形態の硬貨繰出部１２と共通する部位については、共通の符号を付して、その説明を省略し、共通しない部位についてのみ説明する。
【００７１】
（回転軸３２４）
本実施形態の回転軸３２４は、第１及び第２の実施形態の回転軸１２４と同様に、回転円盤１２２の中心と嵌合しており、回転円盤１２２を回転させるための軸である。また、回転軸３２４は、第１及び第２の実施形態と同様に、落下口１０２を貫通し、その上部が硬貨受領部１０に突出しており、回転円盤１２２を回転させると同時に、硬貨受領部１０に収容された硬貨Ｃを撹拌する機能も有する。さらに、本実施形態においては、硬貨受領部１０に突出した回転軸３２４の上部には、硬貨受領部１０に収納された硬貨Ｃを効果的に撹拌するための突起部３２６が設けられている。回転軸３２４に設けられた突起部３２６により、硬貨受領部１０に収容された硬貨Ｃをより効果的に撹拌することにより、硬貨受領部１０に硬貨Ｃを停滞させることなく、硬貨Ｃを少量ずつ硬貨繰出部６２へ落下させることができる。図７においては、突起部３２６は、硬貨受領部１０に突出した回転軸３２４の上部に設けられ、回転軸３２４の外部へ向かって突出する。詳細には、突起部３２６は、回転軸３２４の中心から回転軸３２４の外周へ向かう方向に沿って、回転軸３２４の外部へ突出する羽根状の部位として示されている。なお、本実施形態においては、突起部３２６は、図７に示されるような形状に限定されるものではなく、落下口１０２への硬貨Ｃの落下を妨げることなく、硬貨受領部１０に収納された硬貨Ｃを効果的に撹拌することができるような形状であればよい。さらに、図７においては、突起部３２６は回転軸３２４の上部に３つ設けられているが、本実施形態においては、これに限定されることなく、突起部３２６は、１つないしは複数個設けられていてもよい。
【００７２】
（磁石３３０）
さらに、図６及び図７に示すように、突起部３２６上には、磁石３３０が設けられている。この磁石３３０は、第１及び第２の実施形態と同様に、永久磁石等であって、突起部３２６により硬貨受領部１０に収納された硬貨Ｃを撹拌した際に、硬貨Ｃに混入した異物を吸着する。このように、本実施形態によれば、回転軸３２４の上部に位置する突起部３２６に磁石３３０を設けることにより、異物を磁石３３０によって硬貨処理装置１の外部からより視認しやすい位置に吸着することができる。さらに、突起部３２６によって硬貨受領部１０に収納された硬貨Ｃを撹拌しつつ、異物の吸着を行うため、より確実に異物を磁石３３０により吸着することができる。
【００７３】
本実施形態においては、硬貨受領部１０に硬貨Ｃが一括して投入されると、投入された硬貨Ｃは、回転する回転軸３２４及び突起部３２６により撹拌されながら、落下口１０２へ移動し、回転円盤１２２上の中央部の回転軸３２４の周囲に落下する。硬貨Ｃの撹拌の際、投入された硬貨Ｃに混入した異物は、突起部３２６に設けられた磁石３３０により吸着される。したがって、本実施形態によれば、突起部３２６が位置する回転軸３２４の上部は硬貨受領部１０に突出しているため、突起部３２６に設けられた磁石３３０によって異物が吸着された場合には、異物は、容易に硬貨処理装置１の外部から視認することができる。その結果、硬貨処理装置１の操作者は、吸着された異物の存在を容易に認識することができる。
【００７４】
なお、以上に説明した第１から第３の実施形態は、適宜組み合わせて実施することができ、このような場合、より確実に、硬貨処理装置１の外部から視認できる状態で、異物を吸着することができる。
【００７５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７６】
１    硬貨処理装置
１０    硬貨受領部
１２、５２、６２    硬貨繰出部
１４    硬貨認識部
２０    選別搬送部
２６    リジェクト硬貨収容部
３０    一時保留部
３２    ガイド
３４    返却箱
３６    ホッパ
３８    搬送切替部
４０    出金箱
４４    回収箱
９０    制御ユニット
１００    投入口
１０２    落下口
１０４    スカート
１０４ａ    上部開口部
１０４ｂ    下部開口部
１２０    収容部
１２０ａ    放出口
１２２    回転円盤
１２４、３２４    回転軸
１２６    円盤駆動部
１２６ａ    円盤モータ
１２６ｂ    ギア列
１２８    円盤保持部
１３０、２３０、３３０    磁石
１３２    センサ
２００    リジェクト口
２０２、２０２ａ〜ｆ    金種別排出口
２０４、２０４ａ〜ｆ    シュート
３００、３００ａ〜ｆ    保留部
３２６    突起部
３６０、３６０ａ〜ｆ    金種別ホッパ
４００、４００ａ〜ｆ    出金小箱
Ｃ    硬貨
【図１】
2017120461.tif 000003
【図２】
2017120461.tif 000004
【図３】
2017120461.tif 000005
【図４】
2017120461.tif 000006
【図５】
2017120461.tif 000007
【図６】
2017120461.tif 000008
【図７】
2017120461.tif 000009